(57)【要約】【課題】受取りを拒否されがちな広告等のチラシ類を、喜んで受取ってもらえるようにする広告等のシート材を収納した収納容器を提供する。【解決手段】折り畳み可能なシート材と、前記シート材を収納する収納容器とを備え、前記シート材の少なくとも一部分を前記収納容器の内面に固定し、シート材を折畳みの状態で前記収納容器内に収納したことを特徴とする収納容器であり、さらに前記収納容器は組み立て式容器であることを特徴とする。この収納容器により広告印刷された布、不織布、プラスチックフィルム等は、単なるシート材（紙等）の場合と違って受取り手に「直ぐにすてるのは惜しい」と思わせ、持ちかえったり、保存されることが多くなり、広告の効果が高まる。【選択図】    図１
0003116165.tif 000002
【実用新案登録請求の範囲】
【請求項１】
折り畳み可能なシート材と、前記シート材を収納する収納容器とを備え、前記シート材の少なくとも一部分を前記収納容器の内面に固定し、シート材を折畳みの状態で前記収納容器内に収納したことを特徴とする収納容器。
【請求項２】
前記収納容器は１枚の基材から容器の展開状態で切取り、それを組み立てた組立式容器であることを特徴とする請求項１に記載の収納容器。
【請求項３】
前記収納容器は多角柱、多面体、球体状等の組み立て式容器であることを特徴とする請求項２に記載の収納容器。
【請求項４】
前記折り畳み可能なシート材は１枚または複数枚のシート材であることを特徴とする請求項１〜請求項３のいずれかに記載の収納容器。
【請求項５】
前記折り畳み可能なシート材は、紙、プラスチックフィルム、金属箔、布、不織布、ゴムなどのシート材であることを特徴とする請求項１〜請求項４のいずれかに記載の収納容器。
【請求項６】
前記収納容器内に化粧品や食品、ノベルティー、文具、家庭用品等のサンプルやフィギャ（人形、模型）等の収納品を収納することを特徴とする請求項１〜請求項５のいずれかに記載の収納容器。
【考案の詳細な説明】
【技術分野】
【０００１】
本考案は、受取りを拒否されがちな広告等のチラシ類を喜んで受取ってもらえるようにする、広告等のシート材を収納した収納容器に関するものである。
【背景技術】
【０００２】
従来より、広告等のチラシは新聞折り込みだけでなく、たとえば折り畳んだ状態で封筒に入れたり、ティッシュペーパー等と一緒にして、駅前の街頭等で配付されたりしている。
【０００３】
また、シート材を容易に広げたり、折り畳んだりできる、シート材の折り畳み方についての効果的な折り畳み法に関する提案等も行われている（特許文献１）。
【０００４】
【特許文献１】特許第３１３９９５５号
【考案の開示】
【考案が解決しようとする課題】
【０００５】
しかしながら、上記のようなシート材を折り畳んだ広告等は、それが広告等のチラシであることが一目瞭然であり、受取った消費者はそのまま廃棄してしまうことが多く、さらにティッシュペーパー状のものと組み合わせたものにおいては、受取り人（消費者）はティッシュペーバーの包みだけを抜取り、チラシ等は廃棄してしまうことが多く、有効なチラシ配布方法とはいえなかった。
【課題を解決するための手段】
【０００６】
このため、本考案が採用した技術解決手段は、
折り畳み可能なシート材と、前記シート材を収納する収納容器とを備え、前記シート材の少なくとも一部分を前記収納容器の内面に固定し、シート材を折畳みの状態で前記収納容器内に収納したことを特徴とする収納容器である。
また、前記収納容器は１枚の基材から容器の展開状態で切取りそれを組み立てた組立式容器であることを特徴とする収納容器である。
また、前記収納容器は多角柱、多面体、球体状等の組み立て式容器であることを特徴とする収納容器である。
また、前記折り畳み可能なシート材は１枚または複数枚のシート材であることを特徴とする収納容器である。
また、前記折り畳み可能なシート材は、紙、プラスチックフィルム、金属箔、布、不織布、ゴムなどのシート材であることを特徴とする収納容器である。
また、前記収納容器内に化粧品や食品、ノベルティー、文具、家庭用品等のサンプルやフィギャ（人形、模型）等の収納品を収納することを特徴とする収納容器である。
【考案の効果】
【０００７】
本考案によれば、
１．受取りを拒否されがちな広告等のチラシ類を、喜んで受取ってもらえるようにすることができる。たとえば広告印刷された布、不織布、プラスチックフィルム等は、単なるシート材（紙等）の場合と違って受取り手に「直ぐにすてるのは惜しい」と思わせ、持ちかえったり、保存されたり、あるいは他の用途に再利用されることが多くなり、広告の効果がそれだけ高まることが期待できる。
２．収納容器の内外面には適宜印刷を施し、広告や案内、説明書、チラシ、おしらせ等に使うことができる。
３．収納容器内にシート材といつしよに化粧品や食品、ノベルティー、文具、家庭用品等のサンプルやフィギャ（人形、模型）等を収納することにより、この収納容器の魅力度はさらに強まり、シート（チラシ）の訴求度は一層強まる。
等の優れた作用効果を達成することができる。
４．容器を構成する本体を１枚の基材から容器の展開状態で切取り、それを組み立てることができるようにすることで、容器を安価に大量に製造することができる。
等の優れた効果を奏することができる。
【考案を実施するための最良の形態】
【０００８】
本考案は、組み立てが簡単な箱状の収納容器を作り、その内側の一部に折り畳んだシート材（チラシ）を収納し、収納容器を開けるとシート材が現れる構造のため、受取り手に好奇心を抱かせ、このシート材に印刷した広告等を受取り手に読まずにはいられないようにすることができる。
前記シート材には印刷を施し、広告や案内、説明書、チラシ、お知らせ等に使えるようにする。また、収納容器の内部に収納するシート材は、その一端を収納容器の内側の一部に固着し、収納容器を開けてもシートが収納容器から落ちないようにする。
また収納容器は、三角柱状のものが製造コストも安く、また組み立て易いので理想的だが、必ずしも三角柱の形状に限定することはなく、三角錐、球、円筒、円柱或いは立方体、４角柱または６面体、６角柱、８面体、８角柱、等の多面体、多面柱でもよい。
【実施例】
【０００９】
以下、本考案にかかる収納容器の実施例を図面を参照して説明すると、図１は本考案に係る実施例としての収納容器の展開図、図２は同収納容器を組立てて行く途中の斜視図、図３は同容器を組み立てた状態の斜視図である。
【００１０】
図１において、収納容器１０は例えばボール紙等の基材を図１に示す展開状態となるように切断した本体１を有し、その本体には折れ線２、および上下蓋部材３ａ、３ｂが形成されている。このように形成された本体１では、折れ線２を利用して折り曲げながら、図２、図３に示すように容器として組み立てることができる。図１に示すものは容器形状が三角柱状であり、この容器は、図１に示すように、本体と一体に展開され、容器本体の上下を塞ぐ、上、下蓋部材３ａ、３ｂを備えている。蓋部材３ａ、３ｂには、本体１を組立た状態の時、両端の開口部を閉じることができる三角形状として構成されており、また必要に応じて、上、下蓋部材３ａ、３ｂには隣同士の蓋部材を結合するための切り込み４等が形成されている。なお上、下蓋部材３ａ、３ｂとしては、本例のように基材から切り出した本体と一体に展開できるものが安価で、製造し易く、そのように構成することが望ましいが、必ずしも本体と蓋部材とは一体とする必要はなく別体の蓋部材を利用することも可能である。
【００１１】
前記収納容器の本体１の内面の一部には、折り畳んだ状態の広告等のチラシ（シート材）５の１部分６（たとえば図１中の斜線部）が糊等で固着されている。シート材５は、図１に示すように適宜の折れ線７を利用して折り畳むことが可能であり、またシート材５は、前述した特許第３１３９９５５号にも開示されているような、容易に拡げられて（このときも折り目は消えることなく）再び折畳みが可能な折り目を有する折り畳み方法で折り畳まれたりする方法等を採用することもできる。またシート材５の材料は、紙であっても、あるいは通常その上に文字の印刷が可能な紙状のプラスチック材料であっても、または布や不織布であってもよい。さらに、収納容器内に収納される折り畳んだシート（チラシ）５は、収納容器１０を開けるとシート材５が現れ、或いは飛び出してくる仕組みとすることもできる。
【００１２】
本体１を組み立てて構成した収納容器１０内にシート材５を収納する際は、折り目が付く程しっかりと、且つ規則性をもって折り畳んでも良いが、折り目を付けずに、シートが平坦な状態に戻ろうとする弾力性を残したまま軽く折り畳んで、或いはまるめて収納しても良い。
また、収納容器１０は図３のような三角柱状のものが製造コストも安く、また組み立て易いので理想的だが、必ずしも三角柱の形状に限定することはなく、たとえば、三角錐でも構わないし、１枚の基材（材料）から蓋部材を含む容器の展開状態に本体を切取り、それを簡単に組み立てられる方法が講じられれぱ、或いは安価で組み立てた状態に製造できるなら、球、円筒、円柱或いは立方体、４角柱または６面体、６角柱、８面体、、８角柱、等の多面体，多面柱でも構わない。
【００１３】
また、収納容器の内部に収納するシート材５は、収納が可能なら一つに限定せずに幾つものシート材を収納しても良い。また、シート材は収納容器の内側の１箇所以上で固定することもできる。またシート材と収納容器の内面との固定面積も図１に示すような範囲に限定することなく、自由に設定することができる。
【００１４】
以上のように構成した収納容器１０は、図２に示すように収納容器の内部にチラシ等のシート材を折り畳み収納した状態で組み立てると、図３のような形状となる。このような収納容器とすることで、この収納容器が駅前等で配られると、受取り人は容器の中に何かが入っていると想像し、積極的に収納容器を受取り、容器を開く。こうして、容器内のシート材が目に触れることとなり、シート材による宣伝効果が向上する。
また、収納容器１０内にシート材とは別に、化粧品等の商品見本等を入れておくと、消費者はチラシの説明文と共にその商品の効果を確認することができ、より一層宣伝効果があがることになる。
【００１５】
以上、本実施形態の一例を説明したが、容器内に収納する商品見本としては、食品、化粧品、家庭用品等広く対象とすることができ、見本収納用基材に形成した容器裏面に貼りつけるシート材には紙以外に種々のプラスチックフィルムや布等を使用することができる。また商品見本は１個づつとして構成したり、例えば複数の見本を一つの容器内に収納することもできる。さらに、容器の内部に折り畳んだシート（チラシ）を収納し、容器を開けるとシートが現れ、或いは飛び出してくる仕組みのものを採用することもできる。
【００１６】
シートには印刷を施し、広告や案内、説明書、チラシ、おしらせ等に使えるようにする。容器内にシートを収納する際は、折り目が付く程しっかりと、且つ規則性をもって折り畳んでも良いが、折り目を付けずに、シートが平坦な状態に戻ろうとする弾力性を残したまま軽く折り畳んで、或いはまるめて収納しても良い。
【００１７】
また、シート材は紙に限定せず、薄いフィルム状のプラスチックでも、布、不織布、ゴム、金属箔でも構わない。広告印刷された布、不織布、プラスチックフィルム等は、紙の場合と違って受取り手に「直ぐに捨てるのは惜しい」と思わせ、持ちかえったり、保存されることが多くなり、広告の効果がそれだけ高まることも期待できる。又受取り手が別の用途に再利用するならばチラシ、広告としての効果が一層高まることが期待できる。
容器の中に収納するものはシート状のものに限定されず、一枚もしくは複数枚のカード状もしくは袋やその他の形状のものであってもよい。
【００１８】
さらに容器の中にシート材といつしよに化粧品や食品、ノベルティー、文具、家庭用品等のサンプルやフィギャ（人形、模型）等を収納すれぱ、この収納容器の魅力度はさらに強まり、シート（チラシ）の訴求度は一層強まる。こうして、サンプル等安価なギフトをこの容器の中に入れて配布することが或る程度常態化すると、容器中にサンプル等ギフトが入っていない揚合であっても、収納容器の中に「何か入っているのでは」という期待感を受け手に抱かせ、チラシの入っている収納容器の受取率を高める効果がある。
また、本考案はその精神又は主要な特徴から逸脱することなく他の色々な形で実施することができる。また、前述の実施例はあらゆる点で単なる例示に過ぎず、限定的に解釈してはならない。
【産業上の利用可能性】
【００１９】
本考案は、チラシや広告（シート材）等の新しい配布方法として利用できるだけでなく、化粧水、乳液、クリームなどの基礎化粧料、口紅やアイシャドー等のメークアップ化粧品、さらには洗剤やクレンザー等の家庭用品の商品見本を収納する商品見本収納容器にも利用することができる。
【図面の簡単な説明】
【００２０】
【図１】本考案の収納容器の平面展開図である。
【図２】同収納容器の組立説明図である。
【図３】同収納容器の最終組立状態の説明図である。
【符号の説明】
【００２１】
１          本体
２          折れ線
３ａ、３ｂ  上、下蓋部材
４          切り込み
５          シート材（チラシ等）
６          固着部
７          折れ線
【図１】
0003116165.tif 000003
【図２】
0003116165.tif 000004
【図３】
0003116165.tif 000005
【手続補正書】
【提出日】平成17年7月22日(2005.7.22)
【手続補正１】
【補正対象書類名】実用新案登録請求の範囲
【補正対象項目名】全文
【補正方法】変更
【補正の内容】
【実用新案登録請求の範囲】
【請求項１】
折り畳み可能なシート材と、前記シート材を収納する収納容器とを備え、前記シート材を折畳み前記折り畳んだシート材の一部分を前記収納容器の内面に固定し、前記折り畳んだシート材を前記収納容器内に収納したことを特徴とする収納容器。
【請求項２】
前記収納容器は１枚の基材から容器の展開状態で切取り、それを組み立てた組立式容器であることを特徴とする請求項１に記載の収納容器。
【請求項３】
前記収納容器は多角柱、多面体、球体状等の組み立て式容器であることを特徴とする請求項２に記載の収納容器。
【請求項４】
前記折り畳み可能なシート材は１枚または複数枚のシート材であることを特徴とする請求項１〜請求項３のいずれかに記載の収納容器。
【請求項５】
前記折り畳み可能なシート材は、紙、プラスチックフィルム、金属箔、布、不織布、ゴムなどのシート材であることを特徴とする請求項１〜請求項４のいずれかに記載の収納容器。
【請求項６】
前記収納容器内に化粧品や食品、ノベルティー、文具、家庭用品等のサンプルやフィギャ（人形、模型）等の収納品を収納することを特徴とする請求項１〜請求項５のいずれかに記載の収納容器。
【手続補正２】
【補正対象書類名】明細書
【補正対象項目名】０００６
【補正方法】変更
【補正の内容】
【０００６】
このため本考案が採用した技術解決手段は、
折り畳み可能なシート材と、前記シート材を収納する収納容器とを備え、前記シート材を折畳み前記折り畳んだシート材の一部分を前記収納容器の内面に固定し、前記折り畳んだシート材を前記収納容器内に収納したことを特徴とする収納容器である。
また、前記収納容器は１枚の基材から容器の展開状態で切取り、それを組み立てた組立式容器であることを特徴とする収納容器である。
また、前記収納容器は多角柱、多面体、球体状等の組み立て式容器であることを特徴とする収納容器である。
また、前記折り畳み可能なシート材は１枚または複数枚のシート材であることを特徴とする収納容器である。
また、前記折り畳み可能なシート材は、紙、プラスチックフィルム、金属箔、布、不織布、ゴムなどのシート材であることを特徴とする収納容器である。
また、前記収納容器内に化粧品や食品、ノベルティー、文具、家庭用品等のサンプルやフィギャ（人形、模型）等の収納品を収納することを特徴とする収納容器である。
【手続補正書】
【提出日】平成17年9月9日(2005.9.9)
【手続補正１】
【補正対象書類名】実用新案登録請求の範囲
【補正対象項目名】全文
【補正方法】変更
【補正の内容】
【実用新案登録請求の範囲】
【請求項１】
折り畳み可能なシート材と、前記シート材を収納する収納容器と、前記シート材と前記収納容器とを固定する固定手段とを備え、折り畳んだ前記シート材の一部分を前記収納容器内面に前記固定手段で固定し、前記折り畳んだシート材を前記収納容器内に収納したことを特徴とする収納容器。
【請求項２】
前記収納容器は１枚の基材から容器の展開状態で切取り、それを組み立てた組立式容器であることを特徴とする請求項１に記載の収納容器。
【請求項３】
前記収納容器は多角柱、多面体、球体状等の組み立て式容器であることを特徴とする請求項２に記載の収納容器。
【請求項４】
前記折り畳み可能なシート材は１枚または複数枚のシート材であることを特徴とする請求項１〜請求項３のいずれかに記載の収納容器。
【請求項５】
前記折り畳み可能なシート材は、紙、プラスチックフィルム、金属箔、布、不織布、ゴムなどのシート材であることを特徴とする請求項１〜請求項４のいずれかに記載の収納容器。
【請求項６】
前記収納容器内に化粧品や食品、ノベルティー、文具、家庭用品等のサンプルやフィギャ（人形、模型）等の収納品を収納することを特徴とする請求項１〜請求項５のいずれかに記載の収納容器。
【手続補正２】
【補正対象書類名】明細書
【補正対象項目名】０００６
【補正方法】変更
【補正の内容】
【０００６】
このため本考案が採用した技術解決手段は、
折り畳み可能なシート材と、前記シート材を収納する収納容器と、前記シート材と前記収納容器とを固定する固定手段とを備え、折り畳んだ前記シート材の一部分を前記収納容器内面に前記固定手段で固定し、前記折り畳んだシート材を前記収納容器内に収納したことを特徴とする収納容器である。
また、前記収納容器は１枚の基材から容器の展開状態で切取り、それを組み立てた組立式容器であることを特徴とする収納容器である。
また、前記収納容器は多角柱、多面体、球体状等の組み立て式容器であることを特徴とする収納容器である。
また、前記折り畳み可能なシート材は１枚または複数枚のシート材であることを特徴とする収納容器である。
また、前記折り畳み可能なシート材は、紙、プラスチックフィルム、金属箔、布、不織布、ゴムなどのシート材であることを特徴とする収納容器である。
また、前記収納容器内に化粧品や食品、ノベルティー、文具、家庭用品等のサンプルやフィギャ（人形、模型）等の収納品を収納することを特徴とする収納容器である。